(57)【特許請求の範囲】
【請求項１】
出力電圧の絶対値が同じであって極性が異なる第一の電源および第二の電源と、高周波同調回路の同調周波数を決定する複数のコンデンサの個々の一端との間に個別に１つずつ配置されたスイッチの対を複数対備え、
前記スイッチの対の何れも、
前記第一の電源に一端が接続された第一の抵抗器と、
前記第一の抵抗器に並列に接続された第一のコンデンサと、
前記第二の電源に一端が接続され、かつ抵抗値が前記第一の抵抗器と同じである第二の抵抗器と、
前記第二の抵抗器に並列に接続された第二のコンデンサと、
前記第一の抵抗器の他端に一端が接続され、直流的な結合を介することなく駆動されて開閉する第一の半導体スイッチと、
前記第二の抵抗器の他端に一端が接続され、前記直流的な結合を介することなく駆動されて前記第一の半導体スイッチと並行して開閉する第二の半導体スイッチと、
前記第一の半導体スイッチの他端と前記第二の半導体スイッチの他端とを直流的に接地する第三の抵抗器とで構成された
ことを特徴とする同調用コンデンサ切り替え回路。
【請求項２】
請求項１に記載の同調用コンデンサ切り替え回路において、
前記スイッチの対の何れも、
前駆第一の半導体スイッチの駆動を前記直流的な結合を介することなく行う第一のフォトトランジスタと、
前記第二の半導体スイッチの駆動を前記直流的な結合を介することなく行う第二のフォトトランジスタとを有する
ことを特徴とする同調用コンデンサ切り替え回路。
【発明の詳細な説明】
【技術分野】
【０００１】
本発明は、全波受信機などの高周波回路に関し、さらに詳しくは、高周波同調回路の同調周波数を変更してバンド切り替えをする場合の同調用のコンデンサ切り替え回路に関する。
【背景技術】
【０００２】
図１は従来の全波受信機などの高周波要部の回路図であり、同図においてＪ１はアンテナ端子、Ｌは整合トランス、Ｌ１は整合トランスの１次側、Ｌ２は整合トランスの２次側である。Ｌ２とＣ１、Ｃ２で同調回路を形成して、必要な周波数帯を選択する同調回路を形成する。
トランジスタＴＲ１１、ＴＲ１２は同調用コンデンサＣ１、Ｃ２をオン、オフすることにより同調周波数を切り替えるスイッチの役目をする。
【０００３】
ＳＴＥＰ１にビット切り替え電圧を印加すると、この電圧がＲ１１を経てトランジスタＴＲ１１のベースに印加され、ＴＲ１１はオンとなり、同調コンデンサＣ１は、トランジスタＴＲ１１のコレクタを経て高周波的に接地されＬ２と同調回路を形成する。このＣ１の容量により同調周波数が決まる。
【０００４】
次に、ＳＴＥＰ１のビット切り替え電圧を０Ｖにして、ＳＴＥＰ２にビット切り替え電圧を印加すると、この電圧がＲ１２を経てトランジスタＴＲ１２のベースに印加され、ＴＲ１２はオンとなり、同調コンデンサＣ２は、トランジスタＴＲ１２のコレクタを経て高周波的に接地されＬ２と同調回路を形成する。このＣ２の容量により同調周波数が決まる。
このようにして、必要な同調回路を切り替えることができ、周波数帯を選択することができる。
【０００５】
【特許文献１】特開平５−２１８８１０号公報
【発明の開示】
【発明が解決しようとする課題】
【０００６】
図１に示す従来例では、トランジスタＴＲ１１がオンになる時、Ｃ１のコレクタ側の電位がバイアスＶｂ電位から０Ｖになり、トランジスタＴＲ１１がオフになる時には０Ｖからバイアス電位Ｖｂに変化するために切り替え時にノイズが発生して、受信機の音声出力よりノイズが出てしまう。
【０００７】
これを解決する方法としてスイッチ波形をなだらかにする目的でＴＲ１１のベースにコンデンサＣ１１を付ける方法があるがビット切り替え速度が遅くなる欠点がある。
【０００８】
本発明は、上述の点に鑑みて為されたものであって、ＴＲ１１のベースにコンデンサを付けることなく、切り替えスイッチのイイズ発生を無くして、受信機の音声出力からノイズを出さない回路を提供することを目的とする。
【課題を解決するための手段】
【０００９】
本発明では、上述の目的を達成するために次のように構成している。
【００１０】
すなわち、本発明は、出力電圧の絶対値が同じであって極性が異なる第一の電源および第二の電源と、高周波同調回路の同調周波数を決定する複数のコンデンサの個々の一端との間に個別に１つずつ配置されたスイッチの対を複数対備え、前記スイッチの対の何れも以下の要素で構成される。
(1) 前記第一の電源に一端が接続された第一の抵抗器
(2) 前記第一の抵抗器に並列に接続された第一のコンデンサ
(3) 前記第二の電源に一端が接続され、かつ抵抗値が前記第一の抵抗器と同じである第二の抵抗器
(4) 前記第二の抵抗器に並列に接続された第二のコンデンサ
(5) 前記第一の抵抗器の他端に一端が接続され、直流的な結合を介することなく駆動されて開閉する第一の半導体スイッチ
(6) 前記第二の抵抗器の他端に一端が接続され、前記直流的な結合を介することなく駆動されて前記第一の半導体スイッチと並行して開閉する第二の半導体スイッチ
(7) 前記第一の半導体スイッチの他端と前記第二の半導体スイッチの他端とを直流的に接地する第三の抵抗器
【００１１】
また、本発明は、前記スイッチの対の何れも、前駆第一の半導体スイッチの駆動を前記直流的な結合を介することなく行う第一のフォトトランジスタと、前記第二の半導体スイッチの駆動を前記直流的な結合を介することなく行う第二のフォトトランジスタとを有することによって構成される。
【発明の効果】
【００１２】
本発明によれば、高周波同調回路において、同調用コンデンサを切り替えても、切り替えのノイズが発生せず、受信機の音声出力よりノイズが出ることはなくなる。
【実施例】
【００１３】
以下、図面によって本発明の実施例について、詳細に説明する。
【００１４】
図２は、本発明の高周波要部の回路図であり、図１の従来例に対応する部分には、同一の参照符号を付す。
【００１５】
同図においてＪ１はアンテナ端子、Ｌは整合トランス、Ｌ１は整合トランスの１次側、Ｌ２は整合トランスの２次側である。Ｌ２とＣ１、Ｃ２で同調回路を形成して、必要な周波数帯を選択する同調回路を形成する。フォトトランジスタＵ２１,Ｕ２２は同調用コンデンサＣ１を、フォトトランジスタＵ２３,Ｕ２４は同調用コンデンサＣ２をオン、オフすることにより同調周波数を選択するスイッチの役目をする。Ｕ２１,Ｕ２２およびＵ２３,Ｕ２４には図の様にプラス電源とマイナス電源を印加して、この電源の中点電位が同調コンデンサＣ１、Ｃ２のバイアス電位とする。
【００１６】
ＳＴＥＰ１にビット切り替え電圧印加すると、Ｒ２５を経てフォトトランジスタＵ２１,Ｕ２２に印加されＵ２１,Ｕ２２がオンとなり、プラス電源からマイナス電源へ抵抗器Ｒ２２,Ｒ２１を経て電流が流れるが、Ｒ２１＝Ｒ２２のとき、Ｃ１の電位は変わらないので切り替えのノイズが発生することはなく、受信機の音声出力からのノイズが出ることはない。
ビット切り替え電圧がＣＭＯＳあるいはＴＴＬレベルの場合に対応するため駆動する回路をフォトトランジスタとした。
【００１７】
次に、ＳＴＥＰ１のビット切り替え電圧を０として、ＳＴＥＰ２にビット切り替え電圧印加すると、Ｒ２６を経てフォトトランジスタＵ２３,Ｕ２４に印加されＵ２３,Ｕ２４がオンとなり、プラス電源からマイナス電源へ抵抗器Ｒ２４,Ｒ２３を経て電流が流れるが、Ｒ２４＝Ｒ２３のとき、Ｃ２の電位は変わらないので切り替えのノイズが発生することはなく、受信機の音声出力からのノイズが出ることはない。
ビット切り替え電圧がＣＭＯＳあるいはＴＴＬレベルの場合に対応するため駆動する回路をフォトトランジスタとした。
【００１８】
図３は他の実施例である。この例では、同調用コンデンサＣ１およびＣ２を切り替えるのにトランジスタＴＲ３１,ＴＲ３２およびＴＲ３３、ＴＲ３４を使用している。また、これらのトランジスタの電源に、プラス電源とマイナス電源を使用している。これらのトランジスタをオン、オフとするための駆動にフォトトランジスタを使用して、ビット切り替え電圧がＣＭＯＳあるいはＴＴＬレベルの場合に対応している。
【００１９】
次に実際の動作を説明する。ＳＴＥＰ１にビット切り替え電圧を印加すると、Ｒ３５を経てフォトトランジスタＵ３１,Ｕ３２に印加されＵ３１,Ｕ３２がオンとなると、ＴＲ３１、ＴＲ３２はオンとなり、プラス電源からマイナス電源へ抵抗器Ｒ３２,Ｒ３１を経て電流が流れるが、Ｒ３１＝Ｒ３２のとき、Ｃ１の電位は変わらないので切り替えのノイズが発生することはなく、受信機の音声出力からのノイズが出ることはない。
【００２０】
次に、ＳＴＥＰ１のビット切り替え電圧を０Ｖとして、ＳＴＥＰ２にビット切り替え電圧印加すると、Ｒ３６を経てフォトトランジスタＵ３３,Ｕ３４に印加されＵ３３,Ｕ３４がオンとなり、ＴＲ３３、ＴＲ３４はオンとなり、プラス電源からマイナス電源へ抵抗器Ｒ３３,Ｒ３４を経て電流が流れるが、Ｒ３３＝Ｒ３４のとき、Ｃ２の電位は変わらないので切り替えのノイズが発生することはなく、受信機の音声出力からのノイズが出ることはない。
【産業上の利用可能性】
【００２１】
本発明は、高周波同調回路において、同調用コンデンサを切り替えても、切り替えノイズが発生することがなく、受信機の音声出力よりノイズが出ることがない切り替え回路として利用可能である。
【図面の簡単な説明】
【００２２】
【図１】従来の切り替え回路
【図２】本発明の一実施例である。
【図３】本発明の他の一実施例である。
【符号の説明】
【００２３】
Ｊ１…アンテナ端子、  Ｃ１，Ｃ２…同調用コンデンサ、  Ｌ…整合トランス、
Ｌ１…整合トランス１次側、  Ｌ２…整合トランス２次側、
Ｖｂ…バイアス電圧、  −Ｖ…マイナス電源、  ＋Ｖ…プラス電源、
ＳＴＥＰ１，ＳＴＥＰ２…切り替え電圧、
ＴＲ１１，ＴＲ１２，ＴＲ３１，ＴＲ３２，ＴＲ３３，ＴＲ３４…トランジスタ、
Ｕ２１，Ｕ２２，Ｕ２３，Ｕ２４，Ｕ３１，Ｕ３２，Ｕ３３，Ｕ３４…フォトトランジスタ    
【図１】
0004693801.tif 000002
【図２】
0004693801.tif 000003
【図３】
0004693801.tif 000004